(57)【要約】【課題】  汚染した空気の拡散を防止して、フィルターの交換が容易にできるフード一体型電子レンジを提供すること。【解決手段】  調理室(150)と調理室の一側に具備される電場室(160)を含む調理室アセンブリ(170)、調理室アセンブリの背面上側に装着される両吸入遠心送風機(130)、調理室アセンブリの上側に装着されて、両吸入遠心送風機を通じて吸入された空気が浄化されるようにするフィルター(140)、調理室アセンブリの上側でエア・カーテンが発生されるようにして作動の時に前記調理室アセンブリの上側前面に移送される引き出し式のエア・カーテンモジュール(110)を含む。【選択図】      図３
2005241233.tif 000002
【特許請求の範囲】
【請求項１】
調理室と調理室の一側に付設される電場室を含む調理室アセンブリ;
汚染空気の吸入力を発生させる送風機;
前記送風機を通じて吸入される空気が浄化されるようにするフィルター;及び
作動の時に前記調理室アセンブリの前面部に移送される引き出し式のエア・カーテンモジュール;を含む、
ことを特徴とするフード一体型電子レンジ。
【請求項２】
前記送風機は両吸入遠心送風機である、ことを特徴とする請求項１に記載のフード一体型電子レンジ。
【請求項３】
前記エア・カーテンモジュールはエア・カーテンを発生させるための片吸入遠心ファンを含む、ことを特徴とする請求項１に記載のフード一体型電子レンジ。
【請求項４】
前記エア・カーテンモジュールはエア・カーテンを発生させるための横流ファンを含む、ことを特徴とする請求項１に記載のフード一体型電子レンジ。
【請求項５】
前記エア・カーテンモジュールは空気吸入口を含む、ことを特徴とする請求項１に記載のフード一体型電子レンジ。
【請求項６】
前記エア・カーテンモジュールは空気排出口を含む、ことを特徴とする請求項１に記載のフード一体型電子レンジ。
【請求項７】
前記エア・カーテンモジュールは空気排出口を含み、前記空気排出口は前記エア・カーテンモジュールの前面部下側に形成される、ことを特徴とする請求項１に記載のフード一体型電子レンジ。
【請求項８】
前記エア・カーテンモジュールは空気の流速を増加させるためのノズルを更に含む、ことを特徴とする請求項１に記載のフード一体型電子レンジ。
【請求項９】
前記エア・カーテンモジュールは一側が陥没された形状を成す、ことを特徴とする請求項１に記載のフード一体型電子レンジ。
【請求項１０】
前記エア・カーテンモジュールは空気排出口を含み、前記空気排出口の上側に当たる部分が湾曲された形状を成す、ことを特徴とする請求項１に記載のフード一体型電子レンジ。
【請求項１１】
前記エア・カーテンモジュールは空気吸入口を含み、前記空気吸入口下側に位置されるエア・カーテン用ファンを含む、ことを特徴とする請求項１に記載のフード一体型電子レンジ。
【請求項１２】
前記エア・カーテンモジュールは移送されて完全に分離する、ことを特徴とする請求項１に記載のフード一体型電子レンジ。
【請求項１３】
前記移送は受動で成り立つ、ことを特徴とする請求項１に記載のフード一体型電子レンジ。
【請求項１４】
前記移送が自動で成り立つようにするための移送装置を更に含む、ことを特徴とする請求項１に記載のフード一体型電子レンジ。
【請求項１５】
前記移送のための所定のレール構造を更に含む、ことを特徴とする請求項１に記載のフード一体型電子レンジ。
【請求項１６】
前記エア・カーテンモジュールは前記調理室アセンブリの上部に含まれる、ことを特徴とする請求項１に記載のフード一体型電子レンジ。
【請求項１７】
前記エア・カーテンモジュールによって吸入される外部空気の流路と前記送風ファンによって吸入される汚染空気の流路は分離されて形成される、ことを特徴とする請求項１に記載のフード一体型電子レンジ。
【請求項１８】
前記送風ファンによって吸入される汚染空気の流路は前記調理室アセンブリの上部で少なくとも一つ以上の分岐点で分離する、ことを特徴とする請求項１に記載のフード一体型電子レンジ。
【請求項１９】
前記送風ファンによって吸入される汚染空気の流路は前記調理室アセンブリの上部では一つである、ことを特徴とする請求項１に記載のフード一体型電子レンジ。
【請求項２０】
調理室と、前記調理室の一側に付設される電場室を含む調理室アセンブリ;
汚染空気の吸入力を発生させる送風機;及び
エア・カーテンが発生されるようにするエア・カーテンモジュール;を含む、
ことを特徴とするフード一体型電子レンジ。
【発明の詳細な説明】
【技術分野】
【０００１】
本発明はフード一体型電子レンジに関し、より詳細にはエア・カーテン発生装置が含まれたフード一体型電子レンジに関する。
【背景技術】
【０００２】
一般的に、フード一体型電子レンジは自体の電子レンジ機能以外にオーブンレンジで発生される熱気、臭気及び蒸気等を外部に排出させることができる排気機能を一緒に取り揃えた製品である。このようなフード一体型電子レンジはオーブンレンジのすぐ上部に設置して台所の空間活用度を高めた装置である。
【０００３】
従来のフード一体型電子レンジは特許文献１、特許文献２にその構成及び作動に対して詳細に提示されたところがあるので、ここではその構成及び作動に対する詳細な説明は省略することにする。
【０００４】
しかし、前記のような構成で作動する一般的なフード一体型電子レンジでは吸入面の広さがオーブンレンジの上面より狭く形成された。よって、前記オーブンレンジで発生される熱気、臭気及び蒸気などが全部吸入されることができなくなる問題がある。
【０００５】
この時、吸入されることができなかった熱気、臭気及び蒸気等がオーブンレンジの前で調理作業を遂行している主婦に直接伝逹されて不快感をもたらすようになる。それだけでなく、台所やその他の部屋等にも伝逹されて空気を汚染させるとか部屋の中を汚すようにする等の問題点がある。
【０００６】
又、従来のフード一体型電子レンジではフィルター入れ替えのため、フード一体型電子レンジの上板にあるボルトを外してフード一体型電子レンジをそのまま分離した後グリルをとり除かなければならないという問題点がある。
【０００７】
【特許文献１】大韓民国特許出願番号第10-2002-0042575号
【特許文献２】大韓民国特許出願番号第10-2002-0000280号
【発明の開示】
【発明が解決しようとする課題】
【０００８】
本発明は前記のような問題点を解決するために提案され、エア・カーテンを形成する所定の構造を通じて、オーブンレンジで発生される汚染した空気の拡散を防止して、フィルターの交換が容易にできるフード一体型電子レンジを提供することを目的にする。
【課題を解決するための手段】
【０００９】
前記のような目的を果たすための本発明によるフード一体型電子レンジは、調理室と調理室の一側に付設される電場室を含む調理室アセンブリ;汚染空気の吸入力を発生させる送風機;前記送風機を通じて吸入される空気が浄化されるようにするフィルター;及び作動の時に前記調理室アセンブリの前面部に移送される引き出し式のエア・カーテンモジュール；を含む。
【発明の効果】
【００１０】
前記のような構成を成す本発明によるエア・カーテンフード一体型電子レンジによって、オーブンレンジで発生される汚染した空気がレンジ前面にいる人に拡散することを防止することで、調理時にも台所の快適さを維持することができる効果がある。
又、エア・カーテンモジュールがスライディングされ移送された時フィルターの交換が容易になる効果がある。
又、エア・カーテンモジュールが引き出し式で作動するので、エア・カーテン不使用の時台所の空間活用度を高めることができる。
【発明を実施するための最良の形態】
【００１１】
以下では本発明の具体的な実施例を図面と一緒に詳細に説明するようにする。しかし、本発明の思想が提示される実施例に制限されなく、又他の構成要素の追加、変更、削除等によって、退歩的な他の発明や本発明思想の範囲内に含まれる他の実施例を容易に提案することができる
【００１２】
図1は本発明の思想によるエア・カーテンモジュールが装着されたフード一体型電子レンジを現わす斜視図である。
図1を参照すれば、本発明によるフード一体型電子レンジ(100)は前面部上側に装着されるグリル(120)と、背面部上側に装着され、吸入力が発生されるようにする両吸入遠心送風機(130)を含む。そして、前記グリル(120)と前記両吸入遠心送風機(130)の間に装着されて、汚染した空気を浄化するフィルター(140)と、空気の通路になる流路(180)を含む。
【００１３】
又、前記フード一体型電子レンジ(100)はエア・カーテンが発生されるようにするエア・カーテンモジュール(110)を含む。 
ここで、前記エア・カーテンモジュール(110)は空間活用及び外部空気を容易に流入するために、前記フード一体型電子レンジの上部に装着されることが望ましい。
【００１４】
又、前記エア・カーテンモジュール(110)は引き出し式で作動することができる。
すなわち、エア・カーテン機能の作動が要求されない時は前記エア・カーテンモジュール(110)が前記フード一体型電子レンジ(100)内部に挿入された状態になる。その反面、前記エア・カーテン機能の作動が要求される時は前気エア・カーテンモジュール(110)が前記フード一体型電子レンジ(100)の前面部に移送される。
よって、前記エア・カーテンモジュール(110)が前記のような引き出し式で作動することよって、台所の空間活用度が改善することができる。
【００１５】
一方、前記フード一体型電子レンジ(100)は食べ物の調理のための空間である調理室(150)と、各種機械部品及び制御部が位置するようになる電場室(160)を含む。そして、前記調理室(150)及び前記電場室(160)は調理室アセンブリ(170)と指称される。
【００１６】
又、前記フード一体型電子レンジ(100)は上部に少なくとも一つ以上の固定用ボルト(190)を含む。そして、下部にベースプレート(base plate)(101)及び前記ベースプレート(101)上に形成される少なくとも一つ以上の吸入口(102)を含む。
【００１７】
詳細に説明すると、前記電場室(160)は前面に前記フード一体型電子レンジ(100)の作動を操作するための各種ボタンが形成される操作パネル(161)を含む。
【００１８】
以下では前記のように構成される本発明によるフード一体型電子レンジの作動について説明する。
先ず、使用者が前記フード一体型電子レンジ(100)の下部に位置されるオーブンレンジ(未図示)で調理作業を遂行する時、前記オーブンレンジで熱気、臭気及び蒸気等の汚染空気が発生される。
【００１９】
よって、前記汚染空気を室外に排出させるために、使用者が前記操作パネル(161)を操作して前記フード一体型電子レンジ(100)の排気機能をオン(ＯＮ)にする。そうすれば、前記両吸入遠心送風機(130)に電源が印加される。
よって、前記両吸入遠心送風機(130)が作動を始めて吸入力が発生される。そして、前記の吸入力によって、前記オーブンレンジで発生された汚染空気が前記吸入口(102)を通じて前記フード一体型電子レンジ(100)の内部に吸入される。
【００２０】
この時、前記汚染空気が前記オーブンレンジ前面で料理をしている使用者に伝逹されないで、前記フード一体型電子レンジ(100)内部に吸収されることができるために、前記エア・カーテンモジュール(110)が作動しなければならない。
【００２１】
前記エア・カーテンモジュール(110)の作動に対しては図2を参照して説明する。
図2は本発明によるフード一体型電子レンジのエア・カーテン機能が遂行されている状態を現わす斜視図である。
図2を参照すれば、前記フード一体型電子レンジ(100)は下部に位置される調理室アセンブリ(170)と、上部に吸入力を発生させるための両吸入遠心送風機(130)を含む。
【００２２】
又、前記フード一体型電子レンジ(100)はエア・カーテン流動の発生のためのエア・カーテンモジュール(110)と、汚染した空気の浄化のためのフィルター(140)及びグリル(120)と、空気の通路になる流路(180)を含む。
詳細に説明すると、前記エア・カーテンモジュール(110)は内部に装着されてエア・カーテンを発生させるための片吸入遠心ファン(111)を含む。
【００２３】
又、前記エア・カーテンモジュール(110)は上部に少なくとも一つ以上形成されて、汚染しない外部空気が流入されるようにする空気吸入口(112)を含む。そして、前記エア・カーテンモジュール(110)の前面部下面に少なくとも一つ以上形成されて、空気が下方に吐出されるようにするための空気排出口(113)を含む。
ここで、前記エア・カーテンモジュール(110)の形状、長さ等は本発明の実施例に制限されなくて、エア・カーテンを発生させるための多様な形状、長さ等が提案を可能にすることを明らかにしておく。
【００２４】
以下では前記エア・カーテンモジュール(110)が作動する時、本発明によるフード一体型電子レンジ(100)の作動に対して説明する。
先ず、使用者が手動で操作するとか、又は自動で前記エア・カーテンモジュール(110)が前記フード一体型電子レンジ(100)の前面部に移送される。
【００２５】
そして、使用者が前記フード一体型電子レンジ(100)の排気機能をオン(ＯＮ)にしながら、前記片吸入遠心ファン(111)に電源が印加される。そして、前記片吸入遠心ファン(111)が作動するようになれば、吸入力が発生される。そして、前記吸入力によって、前記空気吸入口(112)を通じて汚染しない外部空気が吸入される。
【００２６】
そうすることにより、前記のように吸入された空気は前記エア・カーテンモジュール(110)内部に形成される流路を通過した後、前記空気排出口(113)を通じて排出される。
この時、前記エア・カーテンモジュール(110)は前記空気排出口(113)が下側を向くように形成されて、前記排出される空気が前記フード一体型電子レンジ(100)の前面部で下方流動になるようにする。よって、前記の下方流動によってエア・カーテンが形成される。
【００２７】
この時、前記空気排出口(113)上側のモジュール部分は前記流路を通過した空気が前記空気排出口(113)で効果的に誘導されることができるように、湾曲された形状を成すのが望ましい。
そうすることにより、オーブンレンジで発生されてレンジの前の主婦に向かった汚染空気は前記エア・カーテンによって主婦と遮断することができる。そして、遮断された汚染空気は前記ベースプレート(101)上に形成された前記吸入口(102)を通じて前記フード一体型電子レンジ(100)内部に吸収される。
【００２８】
そうすると、吸入された汚染空気は前記電場室(160)後面と調理室(150)側面の左側及び/又は右側流路を通じて、前記両吸入遠心送風機(130)に吸入される。そして、前記両吸入遠心送風機(１３０)を通過した後、前記両吸入遠心送風機(１３０)前面部に移動する。すると、前記空気は前記流路(１８０)を通過して、前記流路(180)上に装着されるフィルター(140)によって浄化される。そして、浄化された空気は前記グリル(120)を通じて再び台所で排出される。一方、前記エア カーテンモジュール(１１０)は使用者の便宜のために、別途の移送装置がより具備されて、前記移送装置によって自動に移送されることができる。
【００２９】
ここで、前記エア・カーテンモジュール(110)には移送の便宜のために、別途の移送用レール等を更に具備し得ることを明らかにしておく。
【００３０】
一方、前記エア・カーテンモジュル(110)は図3のように一側が陥没された形状で成り立つことができる。
ここで、前記陥没部は前記エア・カーテンモジュール(110)の移送が完了した後に使用者が前記陥没部を通じて前記フィルター(140)を容易に交換できるようにするためのものである。
【００３１】
又、前記エア・カーテンモジュール(110)が前記フード一体型電子レンジ(100)の前面に移送され前記フード一体型電子レンジ(100)と完全に分離するようにした後、前記フィルター(140)の交換が成り立つようにする実施例も提案可能である。
【００３２】
図3は本発明によるエア・カーテンモジュールが作動する状態を現わす斜視図で、図4はエア・カーテンモジュールの垂直断面図である。
図3及び図4を参照すれば、前記フード一体型電子レンジ(100)は食べ物の調理のための調理室アセンブリー(170)と、エア・カーテンを発生させるためのエア・カーテンモジュール(110)を含む。
【００３３】
詳細に説明すると、前記エア・カーテンモジュール(110)は外形を形成するエア・カーテンモジュールケース(114)と、前記エア・カーテンモジュールケース(114)の上部に形成されて、汚染しない空気の吸入のための空気吸入口(112)を含む。
【００３４】
又、前記エア・カーテンモジュール(110)は前記空気吸入口(112)の下部に位置されて外部空気の吸入力を発生させるための片吸入遠心ファン(111)と、吸入される前記外部空気が流動するようになる流路(115)を含む。又、前記エア・カーテンモジュール(110)は前記エア・カーテンモジュールケース(114)の下部前面に形成されて、前記流路(115)を通過した空気が下方に流動されるようにするための空気排出口(113)を含む。そして、前記空気排出口(113)の一側に形成されて空気の流速を増加させるためのノズル(116)を含む。
【００３５】
以下で本発明によるフード一体型電子レンジの作動に対して説明する。
先に、前記フード一体型電子レンジ(100)の排気機能がオン(ＯＮ)になれば、前記片吸入遠心ファン(111)が作動するようになって、吸入力が発生する。そして、発生された前記吸入力によって汚染しない外部空気が前記空気吸入口(112)を通じて前記エア・カーテンモジュール(110)内部に吸入される。
【００３６】
そうすると、前記吸入された空気は前記流路(115)を通過した後、前記空気排出口(113)を通じて下方流動をして、前記下方流動によってエア・カーテンが形成される。
この時、前記空気は前記ノズル(116)を通過して流速が増加されるようになって、エア・カーテンがより効果的に形成されるようになる。
【００３７】
ここで、前記ノズル(116)の形状又は長さ等は本発明の実施例に制限されなくて、吸入された空気の流速を増加させることができる多様な形状が提案可能なことを明らかにしておく。
又、前記空気吸入口(112)及び前記空気排出口(113)の形状又は長さ等は本発明の実施例に制限されなくて、空気の円滑な吸入及び排出を通じてエア・カーテンを形成することができる多様な形状が提案可能なことを明らかにしておく。
又、前記からエア・カーテン用ファンで前記片吸入遠心ファンを使う場合、製品の単価を節減することができる。
【００３８】
一方、エア・カーテン用ファンで横流ファン(cross-flow fan)を使用する実施例が提案可能である。
ここで、エア・カーテン用ファンで前記横流ファンを使用する場合、流動の方向を変更させることができる横流ファンの特性上、前記エア・カーテンモジュール(110)で流動方向を変更させるための形状を別途に備える必要がない。
【００３９】
よって、前記エア・カーテンモジュール(110)の形状が単純になることができる。
図5乃至図8は本発明によるフード一体型電子レンジの上部流路を現わす図面である。
ここで、図5乃至図8に提示されるフード一体型電子レンジは図1乃至図4で提示された本発明によるフード一体型電子レンジとその構成及び形状が同一なので、重複される説明は省略することにする。
【００４０】
図5は本発明によるフード一体型電子レンジにエア・カーテンモジュールが装着された状態を現わす図面である。そして、図6は前記エア・カーテンモジュールが作動するために移送された状態を現わす図面である。
図5及び図6を参照すれば、前方に吐出される流動及び/又は前記前方に吐出される流動の一部が補助的に上方に吐出される流動が形成する流路は、前記エア・カーテンモジュールの流路と完全に隔離されてお互いに混合しなくなる。
【００４１】
図7は本発明によるフード一体型電子レンジの上部流路に対する又他の実施例である。そして、図8は前記上部流路に装着されたエア・カーテンモジュールが作動するために移送された状態を現わす図面である。
図7及び図8を参照すれば、本実施例での前記前方吐出流動及び前記補助上方吐出流動の流路では前記エア・カーテンモジュールを中心に両分されて形成される。しかし、前記エア・カーテン流動の流路と完全に隔離されお互いに混合しない点は図5及び図6で提示された実施例と効果において同一である。
【００４２】
前記説明したところのように、両流動の流路を分離することで、汚染した空気が前記エア・カーテン流動を通じて浄化されないまま再び台所に循環されることを防止することができる。
【００４３】
ここで、前記前方吐出流動及び前記補助上方吐出流動の流路と前記エアカーテン流動の流路の形状等は本発明の実施例に制限されなくて、各流動がお互いに混合しなくて前記エア・カーテン流動が発生されることができる多様な方式が提案可能なことを明らかにしておく。
【産業上の利用可能性】
【００４４】
本発明はフード一体型電子レンジに適用できる。
【図面の簡単な説明】
【００４５】
【図１】本発明によるエア・カーテンモジュールが装着された電子レンジを現わす斜視図。
【図２】本発明によるフード一体型電子レンジのエア・カーテン機能が遂行されるための状態を現わす斜視図。
【図３】本発明によるエア・カーテンモジュールが作動する状態を現わす斜視図。
【図４】エア・カーテンモジュールの垂直断面図。
【図５】本発明によるフード一体型電子レンジにエア・カーテンモジュールが装着された状態を現わす図面。
【図６】エア・カーテンモジュールが作動するために移送された状態を現わす図面。
【図７】本発明によるフード一体型電子レンジの上部流路に対する又他の実施例。
【図８】上部流路に装着されたエア・カーテンモジュールが作動するために移送された状態を現わす図面。
【符号の説明】
【００４６】
100    フード一体型電子レンジ
101    ベースプレート
102    吸入口
110    エア・カーテンモジュール
111    片吸入遠心ファン
112    空気吸入口
113    空気排出口
114    エア・カーテンモジュールケース
115    流路
116    ノズル
120    グリル
130    片吸入遠心送風機
140    フィルター
150    調理室
160    電場室
161    操作パネル
170    調理室アセンブリ
180    流路
190    固定用ボルト
【図１】
2005241233.tif 000003
【図２】
2005241233.tif 000004
【図３】
2005241233.tif 000005
【図４】
2005241233.tif 000006
【図５】
2005241233.tif 000007
【図６】
2005241233.tif 000008
【図７】
2005241233.tif 000009
【図８】
2005241233.tif 000010